(57)【要約】【課題】パチンコ遊技機の新機種によるデザインのめまぐるしい変更にも十分対処でき、小ロットでしかも安価に成形できるようにした遊技機における装飾部材を提供することを目的とする。【解決手段】表面に模様、図柄Ｍが施された所定厚さの熱可塑性樹脂シート４２、または裏面に模様、図柄Ｍが施された透光性を有する所定厚さの熱可塑性樹脂シート４２を真空成形又は圧空成形することにより成形される。【選択図】  図３
2004230049.tif 000002
【特許請求の範囲】
【請求項１】
表面に模様、図柄が施された所定厚さの熱可塑性樹脂シートを真空成形又は圧空成形することにより成形されることを特徴とする遊技機における装飾部材。
【請求項２】
裏面に模様、図柄が施された透光性を有する所定厚さの熱可塑性樹脂シートを真空成形又は圧空成形することにより成形されることを特徴とする遊技機における装飾部材。
【請求項３】
熱可塑性樹脂フィルムに前記模様、図柄を印刷し、この熱可塑性樹脂フィルムを前記熱可塑性樹脂シートに貼合することにより、前記熱可塑性樹脂シートに模様、図柄が施されるようにした請求項１又は２記載の遊技機における装飾部材。
【発明の詳細な説明】
【０００１】
【発明の属する技術分野】
本発明は、弾球遊技機又はスロットマシン等の遊技機の前面に装着され、装飾効果を発揮させるための装飾部材に関するものである。
【０００２】
【従来の技術】
例えば、遊技機の一種であるパチンコ遊技機には、機枠の前面に装着され遊技盤が取り付けられる前面枠、前面枠の前面に開閉自在に装着され前記遊技盤の前面を覆う透明板保持枠または前記遊技盤の前面に、遊技の興趣を盛り上げるために装飾効果を発揮する種々の装飾部品が装着されている。例えば、前面枠や透明板保持枠の前面には、内部に発光体を内蔵した電飾部品、遊技盤面には内部に同じく発光体を内蔵したレール飾りなどが装着されている。ところで、これら装飾部品を含めパチンコ遊技機の部品は、一般に射出成形により成形されている（例えば、特許文献１参照。）。また、これら装飾部品の前側にその全面を覆うようにして配置される合成樹脂製の装飾部材には、シルクスクリーン印刷法、パッド印刷法、熱転写印刷法などの印刷技術（例えば、特許文献２参照。）により適宜色彩を施した模様、図柄が設けられる場合がある。
【０００３】
【特許文献１】
特開平１１−３３３０９８号公報（第２−３頁、図１）
【特許文献２】
特開２００２−５２１６０号公報（第３−４頁、図５、図６）
【０００４】
【発明が解決しようとする課題】
前記のように、装飾部品における装飾部材を射出成形により成形すると、溶融樹脂を成形型内に流入させる関係上、成形型が大型化し、金型代が多く掛かることから、成形品である装飾部材のデザインの変更は金型償却の都合上簡単ではなくなる。一方、パチンコ遊技機は、機種によってはやり・すたりが激しく、機種がめまぐるしく変更される。よって、前記新機種にあったデザインに追従していくことは前記射出成形では容易ではなく、このため経費などの面で苦慮しているのが現状である。
【０００５】
そこで、本発明は上記課題に鑑みてなされたもので、パチンコ遊技機の新機種によるデザインのめまぐるしい変更にも十分対処でき、小ロットでしかも安価に成形できるようにした遊技機における装飾部材を提供することを目的とするものである。
【０００６】
【課題を解決するための手段】
かかる目的を達成するため、本発明の遊技機における装飾部材は、表面に模様、図柄が施された所定厚さの熱可塑性樹脂シートを真空成形又は圧空成形することにより成形される。
【０００７】
または、裏面に模様、図柄が施された透光性を有する所定厚さの熱可塑性樹脂シートを真空成形又は圧空成形することにより成形される。模様、図柄が施される態様としては、例えば、熱可塑性樹脂シートの表又は裏面に直接印刷するか、熱可塑性樹脂フィルムに模様、図柄を印刷し、この熱可塑性樹脂フィルムを前記熱可塑性樹脂シートの表又は裏面に貼合する方法がある。
【０００８】
このように、模様、図柄が施された熱可塑性樹脂シートを真空成形又は圧空成形することにより、装飾部材を成形するようにしたので、立体的な形状が自在にできて自由度が増し、変化に富んだデザインとすることができることとなり商品価値が向上する。また、多品種少量生産が可能となることから、パチンコ遊技機の新機種によるデザインのめまぐるしい変更に十分対処できるばかりか製品コストの低廉も図られる。
【０００９】
【発明の実施の形態】
以下、本発明に係る遊技機における装飾部材の実施の形態を図面に基づき説明する。なお、遊技機には、例えばパチンコ遊技機、アレンジボールまたは雀球遊技機等の弾球遊技機とスロットマシンとが挙げられるが、本発明にあっては、その一例としてパチンコ遊技機について説明する。また、装飾部材とは、遊技機の前面に装着され、内部に発光体が配置されるものとされないものとがあり、例えば、パチンコ遊技機において、前面枠前面に装着される合成樹脂製の装飾部品、透明板保持枠の前面に装着される装飾部品、遊技盤面に装着されるレール飾りや入賞装置などの所謂盤面部品であって、これらの前面を装飾するものをいう。
【００１０】
図１は本発明が適用されるパチンコ遊技機の正面図、図２は同透明板保持枠を開いた状態の斜視図である。図において、１はパチンコ遊技機Ｐにおける木製の機枠であって、縦長方形枠状に形成されている。また、その前面に額縁状をなす合成樹脂製の前面枠２が、その一側上下部を前記機枠１の一側上下部に設けた軸支部３によって軸支され回動自在に装着される。この前面枠２の中央には窓口４が開設される。そして、前面枠２の裏面に遊技盤５が配置固定され、その前面の遊技部５ａが前記窓口４に臨むようになっている。
【００１１】
前記前面枠２の前面に、遊技盤５前面の遊技部５ａを覆う２枚の透明板であるガラス板６を備えた透明板保持枠７及び遊技盤５の下部を覆う前面板８が、いずれもその一側を軸支して回動自在に装着されている。これら透明板保持枠７と前面板８は前面枠２とほぼ同じ横幅を有している。前記前面板８の前面に、貯留される弾球であるパチンコ球を打球発射部（図示せず。）に供給するための打球供給皿９が装着されている。また、前記前面枠２の下部前面には、前記打球供給皿９から溢れるパチンコ球を貯留する余剰球受皿１０が装着されている。１１は、前面枠２の下部前面の一側に設けられ、打ち出されるパチンコ球の打球力の強弱を調節する操作ハンドルである。
【００１２】
前記遊技盤５の前面には、機種に合わせて適宜色彩が施された模様、図柄Ｄが描出された印刷紙１２が透明な樹脂フィルムと共に貼着され、更に、その前面に遊技部５ａを囲う内側ガイドレール１３と外側ガイドレール１４とが渦巻き状に敷設されている。この場合、前記模様、図柄Ｄは、前記内・外側ガイドレール１３，１４内のみに描出されている。
【００１３】
前記遊技部５ａには、各種の盤面部品が装着される。すなわち、そのほぼ中央に表示部１５ａを備えた可変表示装置１５が装着され、その下方にパチンコ球の入賞により前記表示部１５ａの文字、数字、図形等の表示を変動表示させる始動入賞口１６が配設される。更に、その下方に、前記変動した表示が一定の時間経過後に停止して特定の表示（例えば「７７７」）を示し、遊技者にとって有利な特別遊技状態になったとき、一定の条件の下で開閉扉１７ａを所定回数開成させ一度に多くの入賞球が得られる入賞装置１７が配設されている。前記始動入賞口１６は、パチンコ球が入賞し難い起立またはパチンコ球が入賞し易い傾動位置に自在に変換可能な一対の可動翼片１８，１８を有している。
【００１４】
更に、前記可変表示装置１５の両側やや下方位置に一般入賞口１９が配設され、これら一般入賞口１９の上方位置にはパチンコ球が通過することによりそれを検知し、前記始動入賞口１６の一対の可動翼片１８，１８をパチンコ球が受入れ易いように傾動させるための通過チャッカー２０が配設されている。２１は、前記遊技部５ａの適宜位置に回転自在に装着され、流下するパチンコ球の流れを変えて面白みを出させるための風車であり、２２は障害釘である。更にまた、遊技部５ａの下部に、この遊技部５ａを流下して前記始動入賞口１６、一般入賞口１９などに入賞しなかったパチンコ球をアウト球として遊技盤５の後方へ回収するアウト球口２３が開設されている。
【００１５】
前記透明板保持枠７は、図３乃至図５に示すように透明板である二枚のガラス板６を保持する保持枠本体２５とその前面を覆う透光性カバー部材２６とからなる。前記保持枠本体２５は、方形状に成形されると共にその中央に前記遊技盤５の遊技部５ａが臨む第一開口２７が開設され、裏面に前記第一開口２７を塞ぐように前記二枚のガラス板６が平行に配置されている。このガラス板６は二枚１組となってユニット化されている。保持枠本体２５の前面には、第一開口２７の上辺と両側辺に沿ってそれぞれ配線基盤２８ａ，２８ｂが配置固定され、その前面に発光体としてのＬＥＤ２９が多数配設されている。これらＬＥＤ２９は、赤、緑、青といった色を発光し、これらが互いに融合して種々の発光色が出せるようになっている。
【００１６】
前記透光性カバー部材２６は、合成樹脂材からなり中空状であって、所望の色に着色されると共に後面が開放し、前記保持枠本体２５とほぼ同じ大きさであって方形状をなす。また、その中央には前記第一開口２７と合致する第二開口３１が開設される。そして、第二開口３１を囲んで透光性カバー部材２６の前面中央と両側に、それぞれ後記する装飾部材３２ａ，３２ｂが取り付けられる取付口３３ａ，３３ｂが開設されている。前記中央の取付口３３ａに取り付けられる装飾部材としての装飾カバー３２ａは門型に成形され、両側下部の取付口３３ｂに取り付けられる装飾部材としての装飾カバー３２ｂは長方形状に成形されている。
【００１７】
更に詳しく説明すると、これら装飾カバー３２ａ，３２ｂは、所定の色に着色された透光性の熱可塑性樹脂材からなり、真空成形または圧空成形により成形され、その前面が湾曲した凹凸状を成す変化に富んだデザイン形状となっている。
また、これら装飾カバー３２ａ，３２ｂには、透光性であって適宜色彩が施された所望の模様、図柄Ｍが施されている。この模様、図柄Ｍは、遊技盤５面に描出される模様、図柄Ｄと関係の無いものが選ばれているが、同じものでも良い。各装飾カバー３２ａ，３２ｂの外周縁に周設されたフランジ部３４には、複数のビス挿通孔３５が設けられている。一方、透光性カバー部材２６の裏面には、後端面に螺子孔３６が設けられたボス３７が一体に突設されている。なお、前記透光性カバー部材２６は一体ものとして示したが、複数個に分割されていても良い。
【００１８】
そして、透光性カバー部材２６の裏側から各取付口３３ａ，３３ｂに各装飾カバー３２ａ，３２ｂをあてがい、各装飾カバー３２ａ，３２ｂのビス挿通孔３５を介して各取付口３３ａ，３３ｂの外周縁に設けられたビス孔３８にビス３９を螺子締めすることにより、各装飾カバー３２ａ，３２ｂが取り付けられる。よって、逆に前記各ビス３９を外すことによって装飾カバー３２ａ，３２ｂが簡単に交換できる。次に、保持枠本体２５の前面に透光性カバー部材２６を第一開口２７と第二開口３１とが合致するように配置して重ね、保持枠本体２５の裏側から螺子挿通孔４０を介して各螺子孔３６に螺子４１を螺締することにより、保持枠本体２５と透光性カバー部材２６とが一体に組み付けられる。
【００１９】
前記装飾カバー３２ａ，３２ｂは、図６に示すように模様、図柄Ｍが印刷された所定厚さ（約１〜３ｍｍ）を有する薄板状の熱可塑性樹脂シート４２から成形される。この熱可塑性樹脂シート４２としては、例えば、ポリカーボネイト、ポリプロピレン、スチロール、塩化ビニール、ＡＢＳ樹脂が使用される。また、印刷層４３は同図（イ）のように熱可塑性樹脂シート４２の表面に設けられているが、同図（ロ）のようにその裏面に設けるようにしても良い。更には、同図（ハ）のように別途用意した透光性を有する熱可塑性樹脂フィルム４４の一側面に印刷層４３を設け、この熱可塑性樹脂フィルム４４を熱可塑性樹脂シート４２の表面に貼合するようにしても良い。図は省略するが裏面に貼合しても同様である。
この場合、印刷層４３が内側・外側のいずれにあっても良いが、できれば内側に位置することが好ましい。この熱可塑性樹脂フィルム４４も、前記したポリカーボネイト等と同じ樹脂が使用される。また、印刷方法としては、例えば、シルクスクリーン印刷、オフセット印刷、熱転写印刷といった印刷方法が採られる。
【００２０】
前記熱可塑性樹脂シート４２は、内部に発光体を配置して電飾効果が発揮できることから、透光性を有することが好ましいが、あえて透光性を有しなくてもその模様、図柄Ｍから装飾効果は発揮できる。よって、熱可塑性樹脂シート４２の表面に模様、図柄Ｍを直接印刷したときは、この熱可塑性樹脂シート４２は透光性・非透光性のいずれでも良いが、熱可塑性樹脂シート４２の裏面に模様、図柄Ｍを直接印刷したときは、この熱可塑性樹脂シート４２は透光性である必要がある。模様、図柄Ｍの施し方の異なる態様として、透光性を有する熱可塑性樹脂フィルム４４に模様、図柄Ｍを印刷し、この熱可塑性樹脂フィルム４４を前記熱可塑性樹脂シート４２に貼合した場合も同様である。
【００２１】
また、熱可塑性樹脂フィルム４４に模様、図柄Ｍが印刷されている場合、この熱可塑性樹脂フィルム４４を熱可塑性樹脂シート４２に印刷層４３をいずれの側にむけて貼合してもよいが、できれば、その印刷層４３が熱可塑性樹脂シート４２側に位置するようにして熱可塑性樹脂フィルム４４を貼合することが好ましい。熱可塑性樹脂フィルム４４は、透孔性または非透光性のいずれでも良い。非透光性の場合は、例えば、印刷層４３を外側にして熱可塑性樹脂フィルム４４を熱可塑性樹脂シート４２の表面に貼合するか、または、印刷層４３を熱可塑性樹脂シート４２側、すなわち内側、に位置するようにして熱可塑性樹脂フィルム４４を熱可塑性樹脂シート４２の裏面に貼合する。この場合は、熱可塑性樹脂シート４２は透光性を有する。
【００２２】
このようにして、熱可塑性樹脂シート４２が成形される。そして、表面に模様、図柄Ｍが直接印刷された熱可塑性樹脂シート４２により装飾カバー３２ａ，３２ｂを成形するには真空成形が好ましい。すなわち、図７（イ）に示すように空洞状のテーブルａ上面に乗る成形型ｂの上方に両端部をクランプｃ，ｃにより挟着した熱可塑性樹脂シート４２を水平に配置する。この場合、印刷層４３は熱可塑性樹脂シート４２の表面（図７（イ）では上面）に設けられている。この状態で、同図（ロ）に示すように前記熱可塑性樹脂シート４２の上下位置にヒーターｄ，ｄを配置してその熱可塑性樹脂シート４２を上下両面側から加熱軟化させる。加熱後は、必要に応じ同図（ハ）に示すように下から風圧を掛け熱可塑性樹脂シート４２を上方へ膨らませる。これにより、偏肉を抑えることができる。次に、同図（ニ）に示すように下方から前記成形型ｂが上昇して熱可塑性樹脂シート４２の下面に圧接する。この状態で、同図（ホ）に示すように成形型ｂと連通するテーブルａ内を真空に引いて熱可塑性樹脂シート４２と成形型ｂとを密着させ、その後冷却する。最後に、同図（ヘ）に示すようにテーブルａを下降させ熱可塑性樹脂シート４２から離型すると共にクランプｃ，ｃから成形品４５を取り出す。
【００２３】
裏面に模様、図柄Ｍが直接印刷された熱可塑性樹脂シート４２により装飾カバー３２ａ，３２ｂを成形するには圧空成形が好ましい。すなわち、図８（イ）に示すように成形型ｅとこの成形型ｅを密閉するための蓋ｆとの間に位置し、両端部をクランプｇ，ｇにより挟着して熱可塑性樹脂シート４２を水平に配置する。
この場合、印刷層４３は熱可塑性樹脂シート４２の裏面（図８（イ）では下面）に設けられている。この状態で、同図（ロ）に示すように前記熱可塑性樹脂シート４２の上下位置にヒーターｈ，ｈを配置してその熱可塑性樹脂シート４２を上下両面側から加熱軟化させる。加熱後は、同図（ハ）に示すように成形型ｅを上昇させ熱可塑性樹脂シート４２の下面に配置し、同時にその上から蓋ｆを下降させて成形型ｅの上面に熱可塑性樹脂シート４２を介して被せ内部を密閉する。この状態で、同図（ニ）に示すように上方から成形型ｅ内に空気を注入して加圧し熱可塑性樹脂シート４２を成形型ｅ内周面に押し付け、その後冷却する。最後に、同図（ホ）に示すように成形型ｅと蓋ｆとを互いに上下に引き離し成形品４５を取り出す。
【００２４】
模様、図柄Ｍが印刷された透光性を有する熱可塑性樹脂フィルム４４を貼合した熱可塑性樹脂シート４２についても、前記と同様にして真空成形又は圧空成形することにより、成形品４５が成形される。
【００２５】
このように、真空成形または圧空成形することにより成形品４５すなわち装飾カバー３２ａ，３２ｂが成形される。これにより、この装飾カバー３２ａ，３２ｂには、変化に富んだ立体的な模様、図柄Ｍが成形でき、透光性を有する場合は内部に配置される発光体の発光と共に遊技者に視覚的効果を与え、これにより遊技の興趣が高められる。しかも、多品種少量生産が可能なことから、小ロットであっても製品が簡単にかつ効率的に成形でき、短サイクルで遊技機のデザインの変更があっても容易に対応できる。
【００２６】
本実施の形態にあっては、透明板保持枠７回りにおける装飾部品に取り付けられる装飾部材３２ａ，３２ｂについて説明したが、前面枠２（この場合は、前記透明板保持枠７の横幅が前面枠２の横幅より狭い。）回りの電飾部品に取り付けられる装飾部材、または遊技盤５の盤面部品である例えばレール飾りに取り付けられる装飾部材であっても適用できること勿論である。
【００２７】
【発明の効果】
本発明は上記構成よりなり、請求項１に記載された遊技機における装飾部材は、表面に模様、図柄が施された熱可塑性樹脂シートを真空成形又は圧空成形することにより成形されるので、多品種少量生産が可能となり、パチンコ遊技機の新機種によるデザインのめまぐるしい変更にも十分対処でき、しかも、短納期が可能であるばかりか製品コストの低廉も図られる。また、変化に富んだ立体的な模様、図柄を成形でき、遊技者に迫力ある視覚的効果を与え遊技の興趣が高められると共に商品価値も高められるという効果がある。
【００２８】
また、請求項２記載の遊技機における装飾部材は、裏面に模様、図柄が施された透光性を有する熱可塑性樹脂シートを真空成形又は圧空成形することにより成形されるので、請求項１と同様の効果に加え、その模様、図柄が熱可塑性樹脂シートに覆われて保護されることから、汚れが付かずしかも欠けるといったことがなく、常に綺麗に見られるという効果も有る。
【図面の簡単な説明】
【図１】本発明が適用されるパチンコ遊技機の正面図。
【図２】同透明板保持枠を開いた状態の斜視図。
【図３】透明板保持枠の斜視図。
【図４】同分解斜視図。
【図５】同一部拡大側面断面図。
【図６】熱可塑性樹脂シートの拡大断面図。
【図７】（イ）乃至（ヘ）真空成形により成形品を成形する手順を示す概略説明図。
【図８】（イ）乃至（ホ）圧空成形により成形品を成形する手順を示す概略説明図。
【符号の説明】
３２ａ，３２ｂ      装飾部材（装飾カバー）
４２                熱可塑性樹脂シート
Ｍ                  模様、図柄
Ｐ                  弾球遊技機（遊技機）
【図１】
2004230049.tif 000003
【図２】
2004230049.tif 000004
【図３】
2004230049.tif 000005
【図４】
2004230049.tif 000006
【図５】
2004230049.tif 000007
【図６】
2004230049.tif 000008
【図７】
2004230049.tif 000009
【図８】
2004230049.tif 000010